(57)【特許請求の範囲】
【請求項１】
被写体像を表示する表示部と、
所定の撮像対象領域を有する撮像素子と、
前記撮像対象領域内の部分読出領域から所定のフレーム毎に画像信号を読み出す画像信号読出手段と、
前記撮像対象領域内に拡大表示領域を指定する拡大表示領域指定手段と、
前記撮像対象領域内における前記拡大表示領域の位置に基づいて、前記画像信号の読み出しを行う部分読出領域を該撮像対象領域内に指定する読出領域指定手段と、
前記部分読出領域の画像信号に基づいて、前記所定のフレーム毎に前記拡大表示領域の被写体像を前記表示部に表示させる画像信号処理手段と、
を備え、
前記読出領域指定手段は、
前記撮像対象領域の中で読み出しが行われない非読出領域と接する、前記部分読出領域内の所定の領域を、判定領域として指定し、
前記拡大表示領域の少なくとも一部が前記判定領域と重なっているかを判定し、
前記拡大表示領域の少なくとも一部が前記判定領域と重なっていると判定した場合、該拡大表示領域と該判定領域とが重ならないように前記部分読出領域を変更する、
撮影装置。
【請求項２】
前記拡大表示領域の移動指示を受け付ける操作手段を更に備え、
前記移動指示によって１フレーム中に移動可能な前記拡大表示領域の移動量は、所定の規制移動量よりも小さい移動量に規制されている、
請求項１に記載の撮影装置。
【請求項３】
前記操作手段は、
前記移動指示を受け付けると、該移動指示を受け付けたフレームの次のフレーム以降の所定期間中は、該移動指示を受け付けない、
請求項２に記載の撮影装置。
【請求項４】
所定の方向における規制移動量は、
前記所定の方向における前記拡大表示領域の大きさよりも小さい、
請求項２又は請求項３に記載の撮影装置。
【請求項５】
前記判定領域は、
前記非読出領域との境界線の伸びる方向と直交する幅方向に所定の幅を有し、
前記所定の幅が前記幅方向における前記規制移動量よりも大きい、
請求項２から請求項４の何れか一項に記載の撮影装置。
【請求項６】
被写体像を表示する表示部と、所定の撮像対象領域を有する撮像素子と、を備える撮影装置における表示制御方法であって、
前記撮像対象領域内の部分読出領域から所定のフレーム毎に画像信号を読み出す画像信号読出ステップと、
前記撮像対象領域内に拡大表示領域を指定する拡大表示領域指定ステップと、
前記撮像対象領域内における前記拡大表示領域の位置に基づいて、前記画像信号の読み出しを行う部分読出領域を該撮像対象領域内に指定する読出領域指定ステップと、
前記部分読出領域の画像信号に基づいて、前記所定のフレーム毎に前記拡大表示領域の被写体像を前記表示部に表示させる画像信号処理ステップと、
を含み、
前記読出領域指定ステップにおいて、
前記撮像対象領域の中で読み出しが行われない非読出領域と接する、前記部分読出領域内の所定の領域が、判定領域として指定され、
前記拡大表示領域の少なくとも一部が前記判定領域と重なっているかが判定され、
前記拡大表示領域の少なくとも一部が前記判定領域と重なっていると判定された場合、該拡大表示領域と該判定領域とが重ならないように前記部分読出領域が変更される、
表示制御方法。
【発明の詳細な説明】
【技術分野】
【０００１】
本発明は、スルー画（ライブビュー）を拡大表示な撮影装置、及び撮影装置における表示制御方法に関する。
【背景技術】
【０００２】
被写体のスルー画を表示可能な撮影装置が知られている。このような撮影装置として、特許文献１に、スルー画を拡大表示可能なものが開示されている。
【０００３】
特許文献１に記載の撮影装置では、表示部に撮像素子によって撮像された被写体像のスルー画が表示される。通常状態では、スルー画の生成に使用される画像信号は、撮像素子から所定の画素が間引かれて読み出される。そのため、通常状態で表示されるスルー画は、画素が間引かれた解像度の低い画像となる。他方、スルー画を拡大表示する場合は、撮像素子の全画素のうち、拡大表示を行う領域を含む特定の領域（部分読出領域）の画素から、画像信号が間引かれずに読み出される。例えば、スルー画のうち上側の領域を拡大表示する場合、撮像素子の上半分の画素については、画像信号が間引かれずに読み出され、下半分の画素の画像信号は読み出されない。これにより、表示部には、拡大表示されたスルー画が高い解像度で表示される。拡大表示を行う領域（拡大表示領域）の位置は、撮影者による操作（ユーザ操作）に応じて変更可能である
【０００４】
また、特許文献１の撮影装置では、ユーザ操作によって拡大表示領域が変更されると、拡大表示領域が部分読出領域から外れる場合がある。そのため、特許文献１の撮影装置では、拡大表示領域が部分読出領域から外れると判定された場合、一旦拡大表示を解除して通常状態でスルー画を表示し、拡大表示領域の位置を撮影者に確認させる。その後、部分読出領域を変更した上で、拡大表示領域の位置を変更している。
【先行技術文献】
【特許文献】
【０００５】
【特許文献１】特開２００９−１７５１７号公報
【発明の概要】
【発明が解決しようとする課題】
【０００６】
特許文献１に記載の撮影装置では、部分読出領域を変更する際に、一旦、拡大表示を解除している。そのため、撮影者は拡大表示領域をスムーズに変更することができないという問題があった。また、特許文献１において拡大表示を解除せずに部分読出領域を変更することができたとしても、拡大表示領域の変更が反映されたスルー画が表示されるまで、表示遅延（コマ落ち）が発生するものと考えられる。
【０００７】
以下に、従来の撮影装置における表示遅延の発生について説明する。撮影装置が備える撮像素子の各画素は、所定時間露光されて電荷を蓄積する。蓄積された電荷は、所定のフレームレートで画像信号として読み出される。あるフレーム内で各画素から読み出された画像信号は、次のフレームで表示される被写体像の画像信号として使用される。
【０００８】
拡大表示領域の位置の変更操作が行われ、拡大表示領域が部分読出領域から外れる場合について考える。この場合、拡大表示領域の位置の変更は、変更操作が行われたフレームの次のフレームで反映される。一方、部分読出領域については、その変更の指示が当該フレーム（変更操作が行われたフレームの次のフレーム）で撮像素子に入力される。すなわち、部分読出領域については、その変更が当該フレームで反映されるわけではない。そのため、拡大表示領域に対応する画素から画像信号が読み出されず、当該フレームで読み出された画像信号はスルー画の表示に使用できない。これにより、スルー画に表示遅延が発生するという問題があった。
【０００９】
部分読出領域については、その変更が撮像素子に指示されて反映されるまでに、通常２フレーム分の時間を要する。そのため、画素からの画像信号の読み出しに部分読出領域の変更が反映されるのは、拡大表示領域位置の変更操作が行われたフレームの３つ後のフレームとなる。そのため、従来の撮影装置では、部分読出領域の変更を伴う拡大表示領域の変更を行うと、変更後の拡大表示領域の画像信号が表示されるまで、２フレーム分のコマ落ちが発生するという問題があった。
【００１０】
本発明は上記の事情に鑑みてなされたものであり、その目的とするところは、部分読出領域の変更に伴う表示遅延を抑え、操作性のよい撮影装置及び撮影装置における表示制御方法を提供することにある。
【課題を解決するための手段】
【００１１】
上記の課題を解決する本発明の実施形態の撮影装置は、被写体像を表示する表示部と、所定の撮像対象領域を有する撮像素子と、撮像対象領域内の部分読出領域から所定のフレーム毎に画像信号を読み出す画像信号読出手段と、撮像対象領域内に拡大表示領域を指定する拡大表示領域指定手段と、撮像対象領域内における拡大表示領域の位置に基づいて、画像信号の読み出しを行う部分読出領域を撮像対象領域内に指定する読出領域指定手段と、部分読出領域の画像信号に基づいて、所定のフレーム毎に拡大表示領域の被写体像を表示部に表示させる画像信号処理手段と、を備える。この構成において、読出領域指定手段は、撮像対象領域の中で読み出しが行われない非読出領域と接する、部分読出領域内の所定の領域を、判定領域として指定し、拡大表示領域の少なくとも一部が判定領域と重なっているかを判定し、拡大表示領域の少なくとも一部が判定領域と重なっていると判定した場合、拡大表示領域と判定領域とが重ならないように部分読出領域を変更する。
【００１２】
このような構成によれば、拡大表示領域が部分読出領域内の判定領域に重なった場合に部分読出領域が変更される。そのため、拡大表示領域が部分読出領域から外れることを防止でき、被写体像のスルー画の表示遅延を抑えることができる。
【００１３】
また、撮影装置は、拡大表示領域の移動指示を受け付ける操作手段を更に備えてもよい。この場合、移動指示によって１フレーム中に移動可能な拡大表示領域の移動量は、所定の規制移動量よりも小さい移動量に規制されている。
【００１４】
また、操作手段は、移動指示を受け付けると、移動指示を受け付けたフレームの次のフレーム以降の所定期間中は、移動指示を受け付けなくてもよい。
【００１５】
このような構成によれば、拡大表示領域の移動指示が連続して受け付けられることによって２フレーム続けて部分読出領域が変更されることが防止される。これにより、スルー画のコマ落ちが連続して発生することを防止できる。
【００１６】
また、所定の方向における規制移動量は、所定の方向における拡大表示領域の大きさよりも小さくてもよい。
【００１７】
このような構成によれば、変更前の拡大表示領域と変更後の拡大表示領域とは、一部分が共通の領域となる。そのため、拡大表示領域のスルー画を見ている撮影者は、拡大表示領域の変更の前後で、拡大表示領域がどのように変更したかを認識し易くなる。
【００１８】
また、判定領域は、非読出領域との境界線の伸びる方向と直交する幅方向に所定の幅を有し、所定の幅が幅方向における規制移動量よりも大きくてもよい。
【００１９】
このような構成によれば、１フレーム内における移動指示により、拡大表示領域が部分読出領域から外れることを防止できる。
【００２０】
上記の課題を解決する本発明の実施形態の表示制御方法は、被写体像を表示する表示部と、所定の撮像対象領域を有する撮像素子と、を備える撮影装置における表示制御方法であって、撮像対象領域内の部分読出領域から所定のフレーム毎に画像信号を読み出す画像信号読出ステップと、撮像対象領域内に拡大表示領域を指定する拡大表示領域指定ステップと、撮像対象領域内における拡大表示領域の位置に基づいて、画像信号の読み出しを行う部分読出領域を撮像対象領域内に指定する読出領域指定ステップと、部分読出領域の画像信号に基づいて、所定のフレーム毎に拡大表示領域の被写体像を表示部に表示させる画像信号処理ステップと、を含む。この表示制御方法において、読出領域指定ステップにおいて、撮像対象領域の中で読み出しが行われない非読出領域と接する、部分読出領域内の所定の領域が、判定領域として指定され、拡大表示領域の少なくとも一部が判定領域と重なっているかが判定され、拡大表示領域の少なくとも一部が判定領域と重なっていると判定された場合、拡大表示領域と判定領域とが重ならないように部分読出領域が変更される。
【発明の効果】
【００２１】
本発明の実施形態によれば、部分読出領域の変更に伴う表示遅延を抑え、操作性のよい撮影装置及び撮影装置における表示制御方法が提供される。
【図面の簡単な説明】
【００２２】
【図１】本発明の実施形態にかかる撮影装置のブロック図である。
【図２】本発明の実施形態にかかるスルー画が表示されたＬＣＤの表示画面の例である。
【図３】本発明の実施形態にかかる固体撮像素子が備える画素の一部を模式的に表わしたものである。
【図４】従来の撮影装置にかかる拡大表示領域の変更処理を説明するための図である。
【図５】本発明の実施形態にかかる拡大表示領域の変更処理を説明するための図である。
【図６】本発明の実施形態にかかる拡大表示領域の変更処理を説明するための図である。
【図７】本発明の実施形態の変形例にかかる拡大表示領域及び部分読出領域を説明するための図である。
【発明を実施するための形態】
【００２３】
以下、本発明の実施形態の撮影装置について図面を参照しながら説明する。以下においては、本発明の一実施形態として、デジタル一眼レフカメラについて説明する。なお、撮影装置は、デジタル一眼レフカメラに限らず、例えば、ミラーレス一眼カメラ、コンパクトデジタルカメラ、ビデオカメラ、カムコーダ、タブレット端末、ＰＨＳ（Personal Handy phone System）、スマートフォン、フィーチャフォン、携帯ゲーム機など、表示画面を有し撮影機能を有する別の形態の装置に置き換えてもよい。
【００２４】
図１は、本実施形態の撮影装置１の構成を示すブロック図である。図１に示されるように、撮影装置１は、システムコントローラ１００、操作部１０２、駆動回路１０４、撮影レンズ１０６、絞り１０８、シャッタ１１０、固体撮像素子１１２、信号処理回路１１４、画像処理エンジン１１６、バッファメモリ１１８、カード用インタフェース１２０、ＬＣＤ（Liquid Crystal Display）制御回路１２２、ＬＣＤ１２４及びＲＯＭ（Read Only Memory）１２６を備えている。なお、撮影レンズ１０６は複数枚構成であるが、図１においては便宜上一枚のレンズとして示す。
【００２５】
操作部１０２には、電源スイッチやレリーズスイッチ、撮影モードスイッチなど、撮影者が撮影装置１を操作するために必要な各種スイッチが含まれる。撮影者により電源スイッチが操作されると、図示省略されたバッテリから撮影装置１の各種回路に電源ラインを通じて電源供給が行われる。
【００２６】
システムコントローラ１００は、ＣＰＵ（Central Processing Unit）及びＤＳＰ（Digital Signal Processor）を含む。システムコントローラ１００は電源供給後、ＲＯＭ１２６にアクセスして制御プログラムを読み出してワークエリア（不図示）にロードし、ロードされた制御プログラムを実行することにより、撮影装置１全体の制御を行う。
【００２７】
レリーズスイッチが操作されると、システムコントローラ１００は、例えば、固体撮像素子１１２により撮像された画像に基づいて計算された測光値や、撮影装置１に内蔵された露出計（露光計）（不図示）で測定された測光値に基づき適正露光が得られるように、駆動回路１０４を介して絞り１０８及びシャッタ１１０を駆動制御する。より詳細には、絞り１０８及びシャッタ１１０の駆動制御は、プログラムＡＥ（Automatic Exposure）、シャッタ優先ＡＥ、絞り優先ＡＥなど、撮影モードスイッチにより指定されるＡＥ機能に基づいて行われる。また、システムコントローラ１００はＡＥ制御と併せてＡＦ（Autofocus）制御を行う。ＡＦ制御には、アクティブ方式、位相差検出方式、コントラスト検出方式等が適用される。また、ＡＦモードには、中央一点の測距エリアを用いた中央一点測距モード、複数の測距エリアを用いた多点測距モード等がある。システムコントローラ１００は、ＡＦ結果に基づいて駆動回路１０４を介して撮影レンズ１０６を駆動制御し、撮影レンズ１０６の焦点を調整する。なお、この種のＡＥ及びＡＦの構成及び制御については周知であるため、ここでの詳細な説明は省略する。
【００２８】
被写体からの光束は、撮影レンズ１０６、絞り１０８、シャッタ１１０を通過して固体撮像素子１１２の受光面にて受光される。固体撮像素子１１２は、ベイヤ型画素配置を有する単板式カラーＣＭＯＳ（Complementary Metal Oxide Semiconductor）イメージセンサである。固体撮像素子１１２は、受光面上の各画素で結像した光学像を光量に応じた電荷として蓄積する。蓄積された電荷は、Ｒ（Red）、Ｇ（Green）、Ｂ（Blue）の画像信号として読み出される。なお、固体撮像素子１１２は、ＣＭＯＳイメージセンサに限らず、ＣＣＤ（Charge Coupled Device）イメージセンサやその他の種類の撮像装置に置き換えられてもよい。固体撮像素子１１２はまた、補色系フィルタを搭載したものであってもよい。
【００２９】
信号処理回路１１４は、固体撮像素子１１２より入力される画像信号に対してクランプ、デモザイク等の所定の信号処理を施して、画像処理エンジン１１６に出力する。画像処理エンジン１１６は、信号処理回路１１４より入力される画像信号に対してマトリクス演算、Ｙ／Ｃ分離、ホワイトバランス等の所定の信号処理を施して輝度信号Ｙ、色差信号Ｃｂ、Ｃｒを生成し、ＪＰＥＧ（Joint Photographic Experts Group）等の所定のフォーマットで圧縮する。バッファメモリ１１８は、画像処理エンジン１１６による処理の実行時、処理データの一時的な保存場所として用いられる。また、撮影画像の保存形式は、ＪＰＥＧ形式に限らず、最小限の画像処理（例えば、画像領域の黒レベルの補正処理等）しか施されないＲＡＷ形式であってもよい。
【００３０】
カード用インタフェース１２０のカードスロットには、メモリカード２００が着脱可能に差し込まれている。
【００３１】
画像処理エンジン１１６は、カード用インタフェース１２０を介してメモリカード２００と通信可能である。画像処理エンジン１１６は、生成された圧縮画像信号（撮影画像データ）をメモリカード２００（又は撮影装置１に備えられる不図示の内蔵メモリ）に保存する。
【００３２】
また、画像処理エンジン１１６は、生成された輝度信号Ｙ、色差信号Ｃｂ、Ｃｒをフレームメモリ（不図示）にフレーム単位でバッファリングする。画像処理エンジン１１６は、バッファリングされた信号を所定のタイミングで各フレームメモリから掃き出して所定のフォーマットの映像信号に変換し、ＬＣＤ制御回路１２２に出力する。ＬＣＤ制御回路１２２は、画像処理エンジン１１６より入力される画像信号を基に液晶を変調制御する。これにより、被写体の撮影画像がＬＣＤ１２４の表示画面に表示される。撮影者は、ＡＥ制御及びＡＦ制御に基づいて適正な露光及びピントで撮影されたリアルタイムのスルー画（ライブビュー）を、ＬＣＤ１２４の表示画面を通じて視認することができる。
【００３３】
画像処理エンジン１１６は、撮影者により撮影画像の再生操作が行われると、操作により指定された撮影画像データをメモリカード２００又は内蔵メモリより読み出して所定のフォーマットの画像信号に変換し、ＬＣＤ制御回路１２２に出力する。ＬＣＤ制御回路１２２が画像処理エンジン１１６より入力される画像信号を基に液晶を変調制御することで、被写体の撮影画像がＬＣＤ１２４の表示画面に表示される。
【００３４】
図２（ａ）及び図２（ｂ）に、スルー画が表示されたＬＣＤ１２４の表示画面の例を示す。撮影装置１がＬＣＤ１２４にスルー画を表示するように設定されている場合、ＬＣＤ１２４には、被写体像のスルー画が表示される。撮影装置１は、スルー画の表示モードとして、通常表示モードと拡大表示モードを有している。図２（ａ）は、撮影装置１が通常表示モードに設定されている場合の表示画面例を示し、図２（ｂ）は、撮影装置１が拡大表示モードに設定されている場合の表示画面例を示す。撮影装置１が通常表示モードに設定されている場合、ＬＣＤ１２４には、図２（ａ）に示されるように、撮影レンズ１０６の焦点距離に応じた画角でスルー画１０Ａが表示される。また、撮影装置１が拡大表示モードに設定されている場合、ＬＣＤ１２４には、図２（ｂ）に示されるように、一部が拡大された拡大スルー画１０Ｂが表示される。なお、図２（ｂ）は、図２（ａ）の点線で示される拡大表示領域２０Ａのスルー画を表示した場合の表示画面例を示している。撮影者は、拡大スルー画１０Ｂを見ることにより、所望の被写体に撮影装置１のピントが合っているか否かを確認することができる。また、拡大表示領域２０Ａの位置や大きさは、ＬＣＤ１２４に拡大スルー画１０Ｂを表示している状態でユーザ操作によって変更可能である。
【００３５】
スルー画は、所定のフレームレート（例えば、３０ｆｐｓ（frame per second））でＬＣＤ１２４に表示される。詳しくは、固体撮像素子１１２の各画素に蓄積された電荷が画像信号として所定のフレームレートで読み出される。あるフレーム中に読み出された画像信号は映像信号に変換され、その次のフレームでＬＣＤ１２４にスルー画として表示される。
【００３６】
図３（ａ）、図３（ｂ）は、固体撮像素子１１２が備える画素の一部を模式的に表わしたものである。図３（ａ）には、通常表示モードにおいて画像信号が読み出される画素３０Ａ及び画像信号が読み出されない画素３０Ｂが示されている。図３（ｂ）には、拡大表示モードにおいて画像信号が読み出される画素３０Ｃ及び画像信号が読み出されない画素３０Ｄが示されている。なお、図を簡素化するため、図３（ａ）、図３（ｂ）において、画素に対する符号は、一部の画素にのみ付与している。また、図３（ｂ）においては、画像信号が読み出される画素３０Ｃを含む領域を部分読出領域５０と定義し、画像信号が読み出されない画素３０Ｄを含む領域を非読出領域６０と定義する。また、撮影装置１が拡大表示モードに設定されている場合、固体撮像素子１１２には、拡大表示領域４０が指定される。図３（ｂ）では、部分読出領域５０の右上に、拡大表示領域４０が指定されている。
【００３７】
撮影装置１が通常表示モードに設定されている場合、図３（ａ）に示されるように、画素が所定の間隔で（図３（ａ）では、１つおきに）間引かれて画像信号が読み出される。これにより、撮影装置１の画像信号の処理にかかる負荷を低減し、所定のフレームレートでスルー画を表示することができる。なお、画素を間引く間隔は、１つおきに限定されず、２つおきや３つおきでもよい。
【００３８】
また、撮影装置１が拡大表示モードに設定されている場合、図３（ｂ）に示されるように、固体撮像素子１１２の画素のうち、拡大表示領域４０を含む特定の領域（部分読出領域５０）に対応する画素３０Ｃについては、画素３０Ｃが間引かれずに画像信号が読み出され、それ以外の領域（非読出領域６０）に対応する画素３０Ｄからは画像信号は読み出されない。これにより、拡大表示領域４０のスルー画をＬＣＤ１２４に表示する場合に、スルー画の解像度を高くすることができ、撮影者が被写体にピントがあっているかを確認しやすくなる。
【００３９】
ここで、従来の撮影装置の拡大表示領域の変更処理について説明する。図４は、従来の拡大表示領域の変更処理を説明するための図である。
【００４０】
図４（ａ）は、従来の撮影装置における、フレームレートに同期した、画素の読み出し開始を指示する同期信号を示している。また、図４（ａ）における横軸は時間を表している。同期信号は、所定の周期毎に立ち下がるパルス状の信号である。従来の撮影装置では、同期信号が立ち下がったことに応じて、固体撮像素子の各画素から画像信号が読み出される。
【００４１】
図４（ｂ）は、従来の撮像装置における固体撮像素子の、各フレームＦ２０１〜Ｆ２０６における画素の露光時間及び読み出しタイミングを説明するための図である。また、図４（ｃ）は、従来の撮影装置における固体撮像素子の、各フレームＦ２０２〜Ｆ２０６における拡大表示領域２４０及び部分読出領域２５０を説明するための図である。固体撮像素子の受光面は２次元的に並べて配置された複数の画素を含む撮像対象領域２７０を有している。図４（ｂ）の例では、まず、撮像対象領域２７０の中心部に拡大表示領域２４０が指定され、拡大表示領域２４０を含む帯状の領域が部分読出領域２５０に指定される。また、撮像対象領域２７０のうち、部分読出領域２５０以外の領域であって、部分読出領域２５０に接する上下の領域２６０Ａ、２６０Ｂが非読出領域に指定される（図４（ｃ）のフレームＦ２０２参照）。
【００４２】
各フレームでは、部分読出領域２５０の各画素から画像信号が読み出される。固体撮像素子の受光面には、複数の画素が一列に並んで配置され、且つ、その画素のラインが複数個並んで配置される。画像信号は、１ライン毎にまとめて読み出される。図４（ｂ）には、固体撮像素子が８つのラインＬ１〜Ｌ８の画素を含んでいると仮定した場合の、各ラインの露光時間及び読み出しタイミングを示したものである。例えば、フレームＦ２０２では、ラインＬ１、Ｌ２が非読出領域２６０Ａに対応し、ラインＬ３〜Ｌ６が部分読出領域２５０に対応し、ラインＬ７、Ｌ８が非読出領域２６０Ｂに対応する。
【００４３】
フレームＦ２０２では、予め設定されている露光時間Ｔに合わせた所定のタイミングで各ラインの画素の露光が開始される。露光が開始されるタイミングはライン毎に異なっている。詳しくは、ライン番号の小さいラインから順番に、時間をずらしながら露光が開始される。各ラインでは、所定時間の露光が行われた後、同期信号が立ち下がるタイミング（ｔ２０３）であって、次フレーム（フレームＦ２０３）で画像信号の読み出しが行われる。ここで、画像信号が読み出される画素は、部分読出領域２５０に対応するラインＬ３〜Ｌ６の画素のみであり、それ以外のラインの画素は、同期信号が立ち下がるタイミングでリセット（蓄積された電荷が放電）される。また、画素の読み出しが行われるタイミングも、ライン番号の小さいラインから順番に、時間をずらしながら行われる。露光開始のタイミングは、部分読出領域２５０に対応するラインＬ３〜Ｌ６の露光時間Ｔ２０２が予め設定された露光時間Ｔと同じになるように設定される。部分読出領域２５０に対応するラインから読み出された画像信号に基づいて拡大表示領域２４０のスルー画が生成されて、次のフレームでＬＣＤに表示される。拡大表示領域２４０の位置や大きさは、撮影装置に対するユーザ操作に応じて変更される。あるフレーム内で拡大表示領域２４０を変更するユーザ操作が行われると、拡大表示領域２４０の変更はその次のフレームで反映される。
【００４４】
このように、各ラインの画素は、現フレームで露光開始され、次フレームで画像信号の読み出し又はリセットが行われる。以下、本明細書においては、説明の便宜上、現フレームで露光開始され、次フレームで画像信号の読み出し又はリセットが行われるラインを「第（現フレームの末尾符号）のライン）」と記す。例えば、フレームＦ２０２で露光開始され、フレームＦ２０３で画像信号の読み出し又はリセットが行われるラインは「第２のライン」と記す。
【００４５】
図４（ｄ）は、各フレームＦ２０２〜Ｆ２０６でＬＣＤに表示されるスルー画Ｉ２０１〜Ｉ２０５を示している。図４（ｄ）におけるスルー画内の番号は、どのフレームで読み出された画像信号に基づくスルー画であるかを示している。例えば、フレームＦ２０３において表示されるスルー画Ｉ２０２は、フレームＦ２０２で拡大表示領域２４０の画素から読み出された画像信号に基づいて生成されたスルー画である。また、フレームＦ２０４、Ｆ２０５におけるスルー画Ｉ２０３、Ｉ２０４に番号が付けられていないのは、これらのフレームでスルー画にコマ落ちが発生していることを表している。
【００４６】
フレームＦ２０２では、部分読出領域２５０（第１のラインＬ３〜Ｌ６）の画素の画像信号が読み出され、拡大表示領域２４０のスルー画が生成される。フレームＦ２０２で生成されたスルー画Ｉ２０２は、フレームＦ２０３でＬＣＤに表示される。また、フレームＦ２０２内の時間ｔｕ２００に、拡大表示領域２４０の位置を下方向に移動させるユーザ操作が入力されている。このユーザ操作に応じた拡大表示領域２４０の変更は、同期信号の立ち下がりが検知された時点で行われる。言い換えると、拡大表示領域２４０の変更は、ユーザ操作が行われたフレーム（フレームＦ２０２）の次のフレーム（フレームＦ２０３）で反映される。
【００４７】
フレームＦ２０３では、フレームＦ２０２で入力されたユーザ操作に基づいて拡大表示領域２４０の位置が変更される。また、フレームＦ２０３の部分読出領域２５０（第２のラインＬ３〜Ｌ６）及び非読出領域２６０Ａ（第２のラインＬ１、Ｌ２）、２６０Ｂ（第２のラインＬ７、Ｌ８）は、フレームＦ２０２と同じである。フレームＦ２０３において、拡大表示領域２４０は、下側の非読出領域２６０Ｂと部分的に重複している。
【００４８】
フレームＦ２０３では、部分読出領域２５０（第２のラインＬ３〜Ｌ６）の画素の画像信号が読み出される。しかし、拡大表示領域２４０の非読出領域２６０Ｂと重複している領域については、画像信号が読み出されない。そのため、フレームＦ２０３で読み出された画像信号からは、拡大表示領域２４０のスルー画を生成することができない。そのため、次のフレームＦ２０４のスルー画にコマ落ちが発生する。このようなコマ落ちは、撮影者にとってはスルー画の表示遅延として認識される。そのため、従来の拡大表示領域２４０の変更処理は、撮影者にとって操作性の悪いものであった。
【００４９】
また、フレームＦ２０３では、拡大表示領域２４０が非読出領域２６０Ｂに重複しているため、固体撮像素子に、拡大表示領域２４０が非読出領域に重複しないように部分読出領域２５０を変更する指示が入力される。
【００５０】
フレームＦ２０４では、フレームＦ２０３で固体撮像素子に入力された変更指示に基づいて部分読出領域２５０の変更処理が行われる。図４に示される例では、部分読出領域２５０は、フレームＦ２０３では撮像対象領域２７０の中央の領域に位置するが、フレームＦ２０４では撮像対象領域２７０の下側半分の領域にシフトする。これにより、部分読出領域２５０に対応する画素のラインは、ラインＬ３〜Ｌ６から、ラインＬ５〜Ｌ８に変更される。
【００５１】
フレームＦ２０４では、変更後の部分読出領域２５０´（第３のラインＬ５〜Ｌ８）の画素から画像信号が読み出される。しかし、第３のラインＬ５、Ｌ６では、第２のラインＬ５、Ｌ６と露光開始のタイミングが同じである一方、第２のラインＬ５、Ｌ６と異なり、ラインＬ３、Ｌ４の画素の読み出しが無い分、同期信号の立下りが検出されると画素の読み出しがすぐさま行われる。そのため、第３のラインＬ５、Ｌ６の画素の露光時間Ｔ２０３は、予め設定された露光時間Ｔよりも短くなる。第３のラインＬ７、Ｌ８の画素についても同様に、露光時間が予め設定された露光時間Ｔよりも短くなる。そのため、部分読出領域２５０´から読み出される画像信号は、不適正な露光（例えば著しく露出アンダー）で生成されたものとなる。拡大表示領域２４０のスルー画も露光が不適正であることから、ＬＣＤへの表示に使用することができない。これにより、フレームＦ２０４に引き続き、次のフレームＦ２０５のスルー画にもコマ落ちが発生する。
【００５２】
フレームＦ２０５では、変更後の部分読出領域２５０（第４のラインＬ５〜Ｌ８）の画素から画像信号が読み出され、拡大表示領域２４０のスルー画Ｉ２０５が生成される。第４のラインＬ５〜Ｌ８は、露光時間Ｔ２０４が予め設定された露光時間Ｔと同じになるように、露光開始タイミングが変更されている。そのため、次のフレームＦ２０６では、露光が適正な拡大表示領域２４０のスルー画が表示される。
【００５３】
このように、従来の撮影装置における拡大表示領域の変更処理では、変更後の拡大表示領域２４０が変更前の非読出領域２６０Ａや２６０Ｂと重複する場合に、２フレーム分のコマ落ちが発生するという問題があった。また、拡大表示領域の変更操作を行ってから、拡大表示領域の変更がスルー画に反映されるまでの間にコマ落ちが生じるため、ユーザ操作に対するスルー画のレスポンスが遅く、操作性が悪かった。
【００５４】
そこで、本実施形態に係る撮影装置は、図４に示されるスルー画のコマ落ち（表示遅延）を抑えるのに好適に構成されている。
【００５５】
［拡大表示領域４０の変更処理の第１の例］
図５は、本実施形態において、撮影装置１が拡大表示モードに設定されている場合に実行される、拡大表示領域４０の変更処理を説明するための図である。図５では、拡大表示領域４０の変更処理の第１の例を示す。
【００５６】
図５（ａ）は、フレームレートに同期した、画素の読み出し開始を指示する同期信号を示しており、横軸は時間を表している。同期信号は、所定の周期毎に立ち下がるパルス状の信号である。ハイレベルからローレベルへの同期信号の立下りが検知されると、固体撮像素子１１２の各画素から電荷（画像信号）が読み出される。
【００５７】
図５（ｂ）は、各フレームＦ０〜Ｆ４における画素の露光時間及び読み出しタイミングを説明するための図である。また、図５（ｃ）は、各フレームＦ１〜Ｆ４における拡大表示領域４０及び部分読出領域５０を説明するための図である。固体撮像素子１１２の受光面は、２次元的に並べて配置された複数の画素を含む撮像対象領域７０を有している。撮影装置１が拡大表示モードに設定されると、撮像対象領域７０の中央領域が拡大表示領域４０に指定され、拡大表示領域４０を含む帯状の領域が部分読出領域５０に指定される。また、撮像対象領域７０のうち、部分読出領域５０以外の領域であって、部分読出領域５０に接する上下の領域６０Ａ、６０Ｂが非読出領域に指定される（図５（ｃ）のフレームＦ１参照）。
【００５８】
各フレームでは、部分読出領域５０の画素から画像信号が読み出される。固体撮像素子１１２の受光面には、複数の画素が一列に並んで配置され、且つ、その画素のラインが複数個並んで配置される。画像信号は、１ライン毎にまとめて読み出される。図５（ｂ）には、固体撮像素子１１２が８つのラインＬ１〜Ｌ８の画素を含んでいると仮定した場合の、各ラインの露光時間及び読み出しタイミングを示したものである。例えば、フレームＦ１では、ラインＬ１、Ｌ２が非読出領域６０Ａに対応し、ラインＬ３〜Ｌ６が部分読出領域５０に対応し、ラインＬ７、Ｌ８が非読出領域６０Ｂに対応する。
【００５９】
フレームＦ１では、予め設定されている露光時間Ｔに合わせた所定のタイミングで各ラインの画素の露光が開始される。露光が開始されるタイミングはライン毎に異なっている。詳しくは、ライン番号の小さいラインから順番に、時間をずらしながら露光が開始される。各ラインでは、所定時間露光が行われた後、同期信号が立ち下がるタイミング（ｔ２）であって、次フレーム（Ｆ２）で画像信号の読み出しが行われる。ここで、画像信号が読み出される画素は、部分読出領域５０に対応するラインＬ３〜Ｌ６の画素のみであり、それ以外のラインの画素は、同期信号が立ち下がるタイミングでリセット（蓄積された電荷が放電）される。また、画素の読み出しが行われるタイミングも、ライン番号の小さいラインから順番に、時間をずらしながら行われる。露光開始のタイミングは、部分読出領域５０に対応するラインＬ３〜Ｌ６の露光時間Ｔ１が予め設定された露光時間Ｔと同じになるように設定される。部分読出領域５０に対応するラインから読み出された画像信号に基づいて拡大表示領域４０のスルー画が生成され、次のフレームでスルー画としてＬＣＤ１２４に表示される。
【００６０】
拡大表示領域４０の位置や大きさは、操作部１０２に対するユーザ操作に応じて変更可能である。あるフレーム内で拡大表示領域４０を変更するユーザ操作が行われると、拡大表示領域４０の変更はその次のフレームで反映される。また、拡大表示領域４０が１フレーム内で移動可能な移動量は、所定の規制移動量よりも小さい値に規制されている。規制移動量は、当該移動方向における拡大表示領域４０の大きさよりも小さい。規制移動量を拡大表示領域４０の大きさよりも小さくすることにより、移動の前後で拡大表示領域４０の一部が重複する。そのため、撮影者は、拡大表示されたスルー画を見ながら、拡大表示領域４０がどの方向にどの程度移動したかを容易に把握できる。
【００６１】
また、部分読出領域５０内には判定領域５１Ａ、５１Ｂが指定されている。判定領域５１Ａ、５１Ｂはそれぞれ、部分読出領域５０内の外周部のうち非読出領域６０Ａ、６０Ｂと接する領域に指定される。図５のフレームＦ１に示される例では、非読出領域６０Ａと接する部分読出領域５０内の上側領域が判定領域５１Ａとして指定され、非読出領域６０Ｂと接する部分読出領域５０内の下側領域が判定領域５１Ｂとして指定される。判定領域５１Ａ、５１Ｂはそれぞれ、非読出領域６０Ａ、６０Ｂと接している。また、判定領域５１Ａ、５１Ｂはそれぞれ、非読出領域６０Ａ、６０Ｂと接する境界線の伸びる方向と直交する方向（図５（ｃ）に示される例では、上下方向）に所定の幅を有している。この幅は、その幅方向における規制移動量よりも大きく設定されている。
【００６２】
図５（ｄ）は、各フレームＦ１〜Ｆ４でＬＣＤ１２４に表示されるスルー画Ｉ０〜Ｉ３を示している。図５（ｄ）におけるスルー画内の番号は、どのフレームで読み出された画像信号に基づくスルー画であるかを示している。例えば、フレームＦ２において表示されるスルー画Ｉ１は、フレームＦ１で拡大表示領域４０から読み出された画像信号に基づいて生成されたスルー画である。
【００６３】
（フレームＦ１）
フレームＦ１では、部分読出領域５０（第ゼロのラインＬ３〜Ｌ６）の画素の画像信号が読み出され、拡大表示領域４０のスルー画Ｉ１が生成される。フレームＦ１で生成されたスルー画Ｉ１は、フレームＦ２でＬＣＤ１２４に表示される。
【００６４】
（フレームＦ２）
フレームＦ２では、フレームＦ１中に拡大表示領域４０の変更操作が行われていないため、フレームＦ１に対して部分読出領域５０が変更されることなく、同じ画素群について画像信号の読み出しが行われる。フレームＦ２で読み出された画像信号に基づいて、拡大表示領域４０のスルー画Ｉ２が生成され、フレームＦ３でＬＣＤ１２４に表示される。
【００６５】
図５（ａ）に示されるように、フレームＦ２内の時間ｔｕ１に、拡大表示領域４０の位置を下方向に変更するユーザ操作が入力される。このユーザ操作に応じた拡大表示領域４０の変更は、同期信号の立ち下がりが検知された時点で行われる。言い換えると、拡大表示領域４０の変更は、ユーザ操作が行われたフレーム（フレームＦ２）の次のフレーム（フレームＦ３）で反映される。
【００６６】
（フレームＦ３）
フレームＦ３では、フレームＦ２で入力されたユーザ操作に基づいて拡大表示領域４０の位置が変更される。ここで、本実施形態では、１フレーム中の拡大表示領域４０の移動量が規制移動量よりも小さい値に規制されている。また、この規制移動量は、判定領域５１Ａ、５１Ｂの幅よりも小さく設定されている。そのため、拡大表示領域４０は、ユーザ操作によって指定される移動量に拘わらず、判定領域５１Ａや５２Ｂを超えて非読出領域６０Ａや６０Ｂにまで移動することがなく、部分読出領域５０内に留まる。そのため、フレームＦ３において、部分読出領域５０、非読出領域６０Ａ及び６０Ｂは、フレームＦ２と変わらない。フレームＦ３においても、部分読出領域５０の画素の画像信号が読み出されて、変更された拡大表示領域４０のスルー画Ｉ３が生成され、フレームＦ４でＬＣＤ１２４に表示される。
【００６７】
また、本実施形態では、あるフレームで拡大表示領域４０を変更するユーザ操作が行われると、その次のフレームでは、拡大表示領域４０を変更する操作を受け付けない。図５に示される例では、フレームＦ２において拡大表示領域４０を変更するユーザ操作が行われているため、撮影装置１は、フレームＦ３では拡大表示領域４０を変更するユーザ操作を受け付けない。フレームＦ３の間に、拡大表示領域４０を変更するユーザ操作が行われたとしても、そのユーザ操作は無視される。
【００６８】
また、本実施形態では、拡大表示領域４０の変更が反映されたフレームでは、拡大表示領域４０と何れかの判定領域５１Ａ、５１Ｂとが重複しているか否かが判定される。拡大表示領域４０と何れかの判定領域５１Ａ、５１Ｂとが重複していると判定された場合、どの判定領域５１Ａ、５１Ｂと重複したかに応じて、部分読出領域５０の変更指示が固体撮像素子１１２に入力される。また、拡大表示領域４０が何れの判定領域５１Ａ、５１Ｂとも重複していないと判定された場合、部分読出領域５０の変更指示は固体撮像素子１１２に入力されない。
【００６９】
図５に示される例では、拡大表示領域４０の変更が反映されたフレームＦ３では、拡大表示領域４０と判定領域５１Ａ、５１Ｂとが重複していない。そのため、フレームＦ３では、固体撮像素子１１２への部分読出領域５０の変更指示は入力されない。
【００７０】
（フレームＦ４）
本実施形態では、フレームＦ３において、拡大表示領域４０を変更するユーザ操作を受け付けないため、フレームＦ４における拡大表示領域４０は、フレームＦ３と変わらない。また、図５に示される例では、フレームＦ３において、固体撮像素子１１２に対して部分読出領域５０の変更指示が入力されていない。そのため、フレームＦ４において、部分読出領域５０、非読出領域６０Ａ及び６０Ｂは、フレームＦ３と変わらない。
【００７１】
フレームＦ４では、フレームＦ３で生成されたスルー画Ｉ３がＬＣＤ１２４に表示されると共に、部分読出領域５０の画素から画像信号が読み出され、拡大表示領域４０のスルー画が生成される。
【００７２】
本実施形態では、拡大表示領域４０の変更指示が入力され、変更後の拡大表示領域４０が判定領域５１Ａ、５１Ｂと重複していないと判定された場合、部分読出領域５０は変更されない。そのため、部分読出領域５０に含まれる画素の露光開始タイミング及び読み出しタイミングも変更されず、各画素は常に予め設定された露光時間Ｔで露光される。これにより、拡大表示領域４０のスルー画は、常に適正露光となり、スルー画にコマ落ちが発生しない。
【００７３】
［拡大表示領域４０の変更処理の第２の例］
図６は、拡大表示領域４０の変更処理の第２の例を示す図である。
【００７４】
（フレームＦ１２）
フレームＦ１２では、部分読出領域５０（第１１のラインＬ３〜Ｌ６）の画素から画像信号が読み出されて、拡大表示領域４０のスルー画Ｉ１２が生成される。フレームＦ１２で生成されたスルー画Ｉ１２は、フレームＦ１３でＬＣＤ１２４に表示される。また、フレームＦ１２内の時間ｔｕ２に、拡大表示領域４０の位置を下方向に変更するユーザ操作が入力される。
【００７５】
（フレームＦ１３）
フレームＦ１３では、フレームＦ１２で入力されたユーザ操作に基づいて拡大表示領域４０の位置が変更されている。また、フレームＦ１３の部分読出領域５０は、フレームＦ１２と同じである。そのため、フレームＦ１３においても同じ画素群について部分読出領域５０の画像信号の読み出しが行われると共に、変更された拡大表示領域４０のスルー画Ｉ１３が生成される。拡大表示領域４０のスルー画Ｉ１３は、フレームＦ１４でＬＣＤ１２４に表示される。
【００７６】
また、フレームＦ１３では、拡大表示領域４０と何れかの判定領域５１Ａ、５１Ｂとが重複しているか否かが判定される。図６に示される例では、拡大表示領域４０は、下側の判定領域５１Ｂと重複していると判定される。そのため、部分読出領域５０を下側に移動させるための指示が固体撮像素子１１２に入力される。なお、フレームＦ１２で拡大表示領域４０を変更するユーザ操作が行われているため、撮像装置１は、フレームＦ１３では、拡大表示領域４０を変更する操作を受け付けない。
【００７７】
（フレームＦ１４）
フレームＦ１４では、フレームＦ１３で固体撮像素子１１２に入力された部分読出領域５０の変更指示に基づいて、部分読出領域５０の変更処理が行われる。概略的には、部分読出領域５０は、ユーザ操作に応じて変更された拡大表示領域４０が非読出領域と接する何れの判定領域にも重複しないように変更される。
【００７８】
図６に示される例では、部分読出領域５０は、フレームＦ１３では撮像対象領域７０の中央の領域に位置するが、フレームＦ１４では撮像対象領域２７０の下側半分の領域にシフトする。
【００７９】
また、フレームＦ１４では、変更後の部分読出領域５０´（第１３のラインＬ５〜Ｌ８）の画素から画像信号が読み出される。しかし、第１３のラインＬ５、Ｌ６では、第１２のラインＬ５、Ｌ６と露光開始のタイミングが同じである一方、第１２のラインＬ５、Ｌ６と異なり、ラインＬ３、Ｌ４の画素の読み出しが無い分、同期信号の立下りが検出されると画素の読み出しがすぐさま行われる。そのため、第１３のラインＬ５、Ｌ６の画素の露光時間Ｔ１３は、予め設定された露光時間Ｔよりも短くなる。第１３のラインＬ７、Ｌ８の画素についても同様に、露光時間が予め設定された露光時間Ｔよりも短くなる。そのため、部分読出領域５０´から読み出される画像信号は、不適正な露光（例えば著しく露出アンダー）で生成されたものとなる。これにより、フレームＦ１４で生成されるスルー画は露光が不適正となり、ＬＣＤ１２４への表示に使用することができない。これにより、フレームＦ１５で表示されるスルー画にコマ落ちが発生する。
【００８０】
（フレームＦ１５）
フレームＦ１５では、スルー画にコマ落ちが発生する。コマ落ちが発生している間、ＬＣＤ１２４には、前のフレームＦ１４で表示されていたスルー画Ｉ１３が再度表示される。また、フレームＦ１５では、変更された部分読出領域５０（第１４のラインＬ５〜Ｌ８）から画像信号が読み出され、拡大表示領域４０のスルー画Ｉ１５が生成される。第１４のラインＬ５〜Ｌ８は、露光時間Ｔ１４が予め設定された露光時間Ｔと同じになるように、露光開始タイミングが変更されている。そのため、次のフレームＦ１６では、露光が適正な拡大表示領域４０のスルー画が表示される。また、部分読出領域５０の変更に合わせて、判定領域も変更されている。なお、判定領域は、非読出領域と接する領域に指定される。そのため、図６に示される例では、判定領域は、部分読出領域５０内の上側領域にのみ判定領域５１Ａとして指定される。
（フレームＦ１６）
【００８１】
フレームＦ１６では、フレームＦ１５で生成されたスルー画Ｉ１５がＬＣＤ１２４に表示されると共に、部分読出領域５０の画素から画像信号が読み出され、拡大表示領域４０のスルー画が生成される。
【００８２】
このように、本実施形態では、部分読出領域５０が変更された場合に生じるスルー画のコマ落ちが１フレームに抑えられる。そのため、従来技術に比べて、スムーズなスルー画を表示することができる。
【００８３】
また、従来技術では、拡大表示領域の変更に伴って部分読出領域を変更する場合、拡大表示領域の変更が反映されてから（フレームＦ２０３）、変更された拡大表示領域のスルー画が表示されるまで（フレームＦ２０６）、２フレームのコマ落ちが発生する。これに対し、本実施形態では、部分読出領域が変更されるか否かに拘らず、拡大表示領域４０の変更が反映されてから（フレームＦ１３）、変更された拡大表示領域のスルー画が表示されるまで（フレームＦ１４）、スルー画の表示遅延（コマ落ち）が発生しない。そのため、拡大表示領域を変更する操作の操作性を向上することができる。
【００８４】
また、本実施形態では、あるフレーム（例えば、図６のフレームＦ１２）で拡大表示領域４０を変更するユーザ操作が入力されると、その次のフレーム（フレームＦ１３）では、拡大表示領域４０を変更するユーザ操作を受け付けない。そのため、２フレーム連続で拡大表示領域４０の変更処理が行われることによって生じるスルー画のコマ落ちを防止することができる。
【００８５】
図６の例において、フレームＦ１２で拡大表示領域４０を下側へ変更するユーザ操作を受け付けた後、フレームＦ１３で撮影装置１が拡大表示領域４０を上側へ変更するユーザ操作を受け付ける場合を考える。この場合、図６のフレームＦ１４において、拡大表示領域４０が判定領域５１Ａと重なる可能性がある。フレームＦ１４で、拡大表示領域と判定領域とが重なると、フレームＦ１４に続いて、フレームＦ１５において読み出される画像信号も不適正な露光で生成されたものとなる。その結果、フレームＦ１５とフレームＦ１６で、２フレーム続けてスルー画にコマ落ちが発生する。更に、この場合、フレームＦ１３で拡大表示領域の変更操作が行われてから、スルー画に拡大表示領域の変更が反映されるまでの間にコマ落ちが発生するため、ユーザ操作に対するスルー画のレスポンスが遅くなり、操作性が悪くなるという問題が生じる。しかし、本実施形態では、図６に示されるフレームＦ１３において、拡大表示領域４０の変更を指示するユーザ操作を受け付けないため、フレームＦ１４で拡大表示領域と何れかの判定領域が重なることがない。これにより、フレームＦ１６におけるスルー画のコマ落ちを防止でき、ユーザ操作に対するスルー画の表示遅延を抑えることができる。
【００８６】
上述の実施形態では、あるフレームの固体撮像素子１１２からの画像信号の読み出しと、ＬＣＤ１２４へのスルー画の表示とが、所定のフレームレートで、且つ、同じタイミングで実行されるとして説明したが、本発明はこれに限定されない。画像信号に基づいてスルー画を生成する処理は、撮影装置１の仕様や画像処理パラメータ等によって変化する。そのため、画像信号の読み出しを行うタイミングと、ＬＣＤ１２４にスルー画を表示するタイミングは一致しているとは限らない。
【００８７】
以上が本発明の例示的な実施形態の説明である。本発明の実施形態は、上記に説明したものに限定されず、本発明の技術的思想の範囲において様々な変形が可能である。例えば、明細書中に例示的に明示される実施形態等又は自明な実施形態等を適宜組み合わせた内容も本願の実施形態に含まれる。
【００８８】
以下では、上述の実施形態に基づく様々な変形例について説明する。
【００８９】
上述の実施形態では、あるフレーム（例えば、図５のフレームＦ２）で拡大表示領域４０を変更するユーザ操作が入力されると、その次のフレーム（フレームＦ３）では、拡大表示領域４０を変更するユーザ操作を受け付けないが、本実施形態はこれに限定されない。例えば、図５に示される例のように、拡大表示領域の４０が移動しても、部分読出領域５０の変更が行われない場合は、拡大表示領域４０を変更するユーザ操作が入力されたフレーム（フレームＦ２）の次のフレーム（フレームＦ３）でも、拡大表示領域４０を変更するユーザ操作を受け付けてもよい。言い換えると、図５に示されるフレームＦ３において、拡大表示領域４０が何れの判定領域５１Ａ、５１Ｂも重複しないと判定された場合、フレームＦ３において拡大表示領域４０を変更するユーザ操作を受け付けてもよい。
【００９０】
また、図６の例において、フレームＦ１２で拡大表示領域４０を下側へ変更するユーザ操作を受け付けた後、フレームＦ１３で撮影装置１が拡大表示領域４０を上側へ変更するユーザ操作を受け付ける場合を考える。この場合、フレームＦ１４において、拡大表示領域４０が判定領域５１Ａと重なる可能性があり、２フレーム連続でスルー画のコマ落ちが発生するという問題がある。しかし、フレームＦ１３における拡大表示領域４０と、フレームＦ１４における判定領域５１Ａとの間隔が、拡大表示領域４０の１フレーム内で移動可能な移動量（規制移動量）よりも大きい場合、フレームＦ１４では、拡大表示領域４０が判定領域５１Ａに重なる可能性はない。そのため、この場合は、２フレーム連続でスルー画のコマ落ちが発生することはない。従って、本実施形態の変形例では、２フレーム連続で拡大表示領域４０と判定領域の何れかが重なる可能性がないと判定された場合は、２フレーム連続で拡大表示領域４０を変更する操作を受け付けてもよい。また、本実施形態の別の変形例では、２フレーム連続で拡大表示領域４０を変更する操作を受け付け可能であり、且つ、２フレーム連続で拡大表示領域４０と判定領域の何れかが重ならないように、規制移動量が変更されてもよい。
【００９１】
また、上述の実施形態では、拡大表示領域４０を変更するユーザ操作が行われたフレームの次のフレームでは、拡大表示領域４０を変更するユーザ操作を受け付けないが、本実施形態はこれに限定されない。例えば、拡大表示領域４０を変更するユーザ操作は、常に１フレームおきにのみ（例えば、フレームの末尾符号が偶数の場合にのみ）受け付けてもよい。これにより、２フレーム連続して拡大表示領域４０を変更する操作が行われなくなり、スルー画のコマ落ちを防止することができる。なお、ユーザ操作を受け付けるフレームは１つおきに限定されず、２つおきや３つおきでもよい。
【００９２】
また、上述の実施形態では、図６に示されるように、部分読出領域５０を下側に変更する場合、部分読出領域５０はその大きさを維持したまま、撮像対象領域７０の下端まで移動するが、本実施形態はこれに限定されない。部分読出領域５０の変更後に、拡大表示領域４０が判定領域５１Ａ、５１Ｂと非読出領域６０Ａ、６０Ｂの何れにも重複しないのであれば、部分読出領域５０を下端まで移動させなくてもよい。また、部分読出領域５０の変更の前後で、部分読出領域５０の大きさや形状が変化してもよい。
【００９３】
また、上述の実施形態では、部分読出領域５０、非読出領域６０Ａ及び６０Ｂは、図５や図６に示されるように、左右方向に延びる帯状の形状を有するが、本発明はこれに限定されない。例えば、図７に示されるように、部分読出領域５０は、帯状ではなく、矩形形状を有してもよい。この場合、部分読出領域５０は上下左右の各方向で非読出領域６０Ｃと接する。判定領域は、部分読出領域５０の中で非読出領域と接する所定幅を持つ領域に指定される。そのため、図７に示される例では、部分読出領域５０内の上下左右の領域に枠状の判定領域５１Ｃが指定される。
【００９４】
また、上述の実施形態では、拡大表示領域４０を移動するユーザ操作が行われた場合に、変更後の拡大表示領域４０と判定領域５１Ａ、５１Ｂとが重複するか否かを判定する場合について説明したが、本発明はこれに限定されない。例えば、拡大表示領域４０の大きさ（拡大率）を変更するユーザ操作に行われた場合に、変更後の拡大表示領域４０と判定領域５１Ａ、５１Ｂとが重複するか否かが判定されてもよい。
【００９５】
また、拡大表示領域４０を移動させた場合と大きさを変更した場合とで、拡大表示領域４０と判定領域５１Ａ、５１Ｂが重複していると判定された場合の部分読出領域５０の移動量が異なっていてもよい。また、拡大表示領域４０の大きさに応じて、判定領域５１Ａ及び５１Ｂの大きさや、規制移動量を変更してもよい。また、拡大表示領域４０の大きさに応じて、部分読出領域５０の大きさを変更してもよい。
【００９６】
また、上述の実施形態では、撮影装置１が通常表示モードに設定されている場合は、撮像対象領域７０から画素が間引かれて画像信号が読み出され、撮影装置１が拡大表示モードに設定されている場合は、部分読出領域５０から画素が間引かれずに画像信号が読み出されるが、本発明はこれに限定されない。例えば、撮影装置１が拡大表示モードに設定されている場合においても、部分読出領域５０から画素が間引かれて画像信号が読み出されてもよい。この場合、部分読出領域５０から間引かれる画素の割合は、通常表示モードに設定されている場合に撮像対象領域７０から間引かれる割合よりも小さいことが好ましい。また、部分読出領域５０から間引かれる画素の割合は、拡大表示領域４０の大きさに応じて変更されてもよい。
【符号の説明】
【００９７】
１  撮影装置
１０Ａ、１０Ｂ  スルー画
２０Ａ  拡大表示領域
３０Ａ〜３０Ｄ  画素
４０  拡大表示領域
５０、５０´  部分読出領域
５１Ａ〜５１Ｃ  判定領域
６０Ａ〜６０Ｃ  非読出領域
７０  撮像対象領域
Ｆ０〜Ｆ４、Ｆ１１〜Ｆ１６  フレーム
Ｉ０〜Ｉ３、Ｉ１１〜Ｉ１５  スルー画
１００  システムコントローラ
１０２  操作部
１０４  駆動回路
１０６  撮影レンズ
１０８  絞り
１１０  シャッタ
１１２  固体撮像素子
１１４  信号処理回路
１１６  画像処理エンジン
１１８  バッファメモリ
１２０  カード用インタフェース
１２２  ＬＣＤ制御回路
１２４  ＬＣＤ
１２６  ＲＯＭ
２００  メモリカード
Ｆ２０１〜Ｆ２０６  フレーム
Ｉ２０１〜Ｉ２０５  スルー画
２４０  拡大表示領域
２５０、２５０´  部分読出領域
２６０Ａ、２６０Ｂ  非読出領域
２７０  撮像対象領域
２８０  スルー画
【図１】
0006460395.tif 000002
【図２】
0006460395.tif 000003
【図３】
0006460395.tif 000004
【図４】
0006460395.tif 000005
【図５】
0006460395.tif 000006
【図６】
0006460395.tif 000007
【図７】
0006460395.tif 000008